(57)【要約】  移動デバイス等のユーザを支持するための支持構造体であって、流体入口及び流体出口を備える流体流路を備え、流体流路の少なくとも一部はテーパ状であり、少なくとも部分的にテーパ状の流体流路は第１及び第２の端部を備え、少なくとも部分的にテーパ状の流体流路の第１の端部は流体入口の近位に位置し、少なくとも部分的にテーパ状の流体流路の第２の端部は流体入口の遠位に位置し、少なくとも部分的にテーパ状の流体流路の第２の端部の幅は、少なくとも部分的にテーパ状の流体流路の第１の端部の幅よりも大きい、支持構造体。
2020512176.tif 000002
【特許請求の範囲】
【請求項１】
移動デバイス等のユーザを支持するための支持構造体であって、
流体入口、及び
流体出口
を備える流体流路を備え、
前記流体流路の少なくとも一部はテーパ状であり、前記少なくとも部分的にテーパ状の流体流路は第１及び第２の端部を備え、
前記少なくとも部分的にテーパ状の流体流路の前記第１の端部は前記流体入口の近位に位置し、前記少なくとも部分的にテーパ状の流体流路の前記第２の端部は前記流体入口の遠位に位置し、
前記少なくとも部分的にテーパ状の流体流路の前記第２の端部の幅は、前記少なくとも部分的にテーパ状の流体流路の前記第１の端部の幅よりも大きい、
支持構造体。
【請求項２】
実質的に前記流体流路の全体がテーパ状である、請求項１に記載の支持構造体。
【請求項３】
前記少なくとも部分的にテーパ状の流体流路の最大幅が、前記少なくとも部分的にテーパ状の流体流路の前記第２の端部に位置する、請求項１又は２に記載の支持構造体。
【請求項４】
前記少なくとも部分的にテーパ状の流体流路の最小幅が、前記少なくとも部分的にテーパ状の流体流路の前記第１の端部に位置する、請求項１〜３のいずれか一項に記載の支持構造体。
【請求項５】
前記流体流路が側壁を備え、前記側壁間の最小分離距離は、前記少なくとも部分的にテーパ状の流体流路の前記第１の端部に位置し、前記側壁間の最大分離距離は、前記少なくとも部分的にテーパ状の流体流路の前記第２の端部に位置する、請求項１〜４のいずれか一項に記載の支持構造体。
【請求項６】
前記少なくとも部分的にテーパ状の流体流路の前記第１の端部の深さが、前記少なくとも部分的にテーパ状の流体流路の前記第２の端部の深さより大きい、請求項１〜５のいずれか一項に記載の支持構造体。
【請求項７】
前記少なくとも部分的にテーパ状の流体流路の前記第１の端部が、実質的に長方形の断面を備える、請求項１〜６のいずれか一項に記載の支持構造体。
【請求項８】
前記少なくとも部分的にテーパ状の流体流路の前記第２の端部が、実質的に長方形の断面を備える、請求項１〜７のいずれか一項に記載の支持構造体。
【請求項９】
前記少なくとも部分的にテーパ状の流体流路が、前記第１の端部から前記第２の端部まで実質的に長方形の断面を有する、請求項１〜８のいずれか一項に記載の支持構造体。
【請求項１０】
前記少なくとも部分的にテーパ状の流体流路の前記第１の端部の断面の面積が、前記少なくとも部分的にテーパ状の流体流路の前記第２の端部の断面の面積より大きい、請求項１〜９のいずれか一項に記載の支持構造体。
【請求項１１】
前記流体出口が、前記流体流路の１つ以上のアパーチャから形成される、請求項１〜１０のいずれか一項に記載の支持構造体。
【請求項１２】
前記流体流路が上面セクションを備える、請求項１〜１１のいずれか一項に記載の支持構造体。
【請求項１３】
前記流体流路の前記上面セクションが１つ以上のアパーチャを備え、前記１つ以上のアパーチャが１つ以上の流体出口を形成する、請求項１２に記載の支持構造体。
【請求項１４】
前記流体流路の前記上面セクションが開口部を備え、前記流体流路の前記上面セクションの前記開口部が前記流体出口を画定する、請求項１２又は１３に記載の支持構造体。
【請求項１５】
前記上面セクションが閉鎖部を備え、前記流体流路の前記上面セクションの前記閉鎖部が前記流体入口の近位に位置する、請求項１２〜１４のいずれか一項に記載の支持構造体。
【請求項１６】
実質的に前記流体流路の前記上面セクションの全体が開口し、その結果、前記流体出口を形成する、請求項１２〜１５のいずれか一項に記載の支持構造体。
【請求項１７】
前記流体出口が第１の端部及び第２の端部を備え、前記流体出口の前記第１の端部が前記流体入口の近位に位置し、前記流体出口の前記第２の端部が前記流体入口の遠位に位置し、前記流体出口の前記第２の端部の幅が、前記流体出口の前記第１の端部の幅よりも大きい、請求項１〜１６のいずれか一項に記載の支持構造体。
【請求項１８】
前記流体出口が、前記少なくとも部分的にテーパ状の流体流路の前記上面セクションと実質的に同じ形状である、請求項１２〜１７のいずれか一項に記載の支持構造体。
【請求項１９】
前記流体が空気である、請求項１〜１８のいずれか一項に記載の支持構造体。
【請求項２０】
前記流体流路が１つ以上のフィンを備える、請求項１〜１９のいずれか一項に記載の支持構造体。
【請求項２１】
前記フィン又は各フィンが細長い長手方向部材である、請求項２０に記載の支持構造体。
【請求項２２】
前記フィン又は各フィンが、前記少なくとも部分的にテーパ状の流体流路の前記第１の端部から前記少なくとも部分的にテーパ状の流体流路の前記第２の端部まで実質的に長手方向に配置される、請求項２０又は２１に記載の支持構造体。
【請求項２３】
前記フィンがテーパ状の配置で配置される、請求項２０〜２２のいずれか一項に記載の支持構造体。
【請求項２４】
各フィンが第１の端部と第２の端部を備え、各フィンの前記第１の端部は前記流体入口の近位に位置し、各フィンの前記第２の端部は前記流体入口の遠位に位置し、前記フィン間の分離は前記第１の端部よりも前記第２の端部でより大きい、請求項２０〜２３のいずれか一項に記載の支持構造体。
【請求項２５】
前記流体入口の近位から前記流体入口の遠位までの前記フィン又は各フィンの輪郭が、弓状の形状を有する、請求項２０〜２４のいずれか一項に記載の支持構造体。
【請求項２６】
前記フィンがユーザに支持を提供するように構成可能であるように、前記フィン又は各フィンが弾性材料から作られる、請求項２０〜２５のいずれか一項に記載の支持構造体。
【請求項２７】
前記支持構造体が第１の支持層を備える、請求項１〜２６のいずれか一項に記載の支持構造体。
【請求項２８】
前記支持構造体が第２の支持層を備え、前記第１の支持層が前記第２の支持層に隣接して位置する、請求項２７に記載の支持構造体。
【請求項２９】
前記第１の支持層及び前記第２の支持層の少なくとも一方が流体流路係合セクションを備え、前記流体流路係合セクションが、前記流体流路の少なくとも一部と係合するように構成される、請求項２７又は２８に記載の支持構造体。
【請求項３０】
前記第１の支持層及び前記第２の支持層の少なくとも一方が、前記流体流路を実質的に取り囲む、請求項２８又は２９に記載の支持構造体。
【請求項３１】
前記流体流路係合セクションの少なくとも一部がテーパ状である、請求項２９又は３０に記載の支持構造体。
【請求項３２】
前記流体流路係合セクションの少なくとも一部、及び前記流体流路の少なくとも一部が、実質的に同一平面になるように配置される、請求項２９〜３１のいずれか一項に記載の支持構造体。
【請求項３３】
前記流体流路係合セクションの少なくとも一部、及び前記流体出口の少なくとも一部が、同一平面になるように配置される、請求項２９〜３２のいずれか一項に記載の支持構造体。
【請求項３４】
前記流体流路係合セクションは前記流体流路と形状が実質的に同一である、請求項２９〜３３のいずれか一項に記載の支持構造体。
【請求項３５】
前記流体流路係合セクションは前記流体出口と形状が実質的に同一である、請求項２９〜３４のいずれか一項に記載の支持構造体。
【請求項３６】
前記第１の支持層及び前記第２の支持層の少なくとも一方が実質的に平坦な部材である、請求項２７〜３５のいずれか一項に記載の支持構造体。
【請求項３７】
前記第１の支持層及び前記第２の支持層の少なくとも一方が弾性材料から作製される、請求項２７〜３６のいずれか一項に記載の支持構造体。
【請求項３８】
前記支持構造体が第３の支持層を備え、前記第２の支持層が前記第１の支持層と前記第３の支持層との間に位置する、請求項２８〜３７のいずれか一項に記載の支持構造体。
【請求項３９】
前記第３の支持層が少なくとも２つの部分を備え、前記少なくとも２つの部分はそれらの間に隙間を提供するために離間される、請求項３８に記載の支持構造体。
【請求項４０】
前記支持構造体が可撓性領域によって折り畳み可能であるように構成される、請求項１〜３９のいずれか一項に記載の支持構造体。
【請求項４１】
前記第２の支持層が少なくとも２つの部分を備え、前記少なくとも２つの部分はそれらの間に隙間を提供するために離間される、請求項３９又は４０に記載の支持構造体。
【請求項４２】
前記第２の支持層の前記少なくとも２つの部分間の前記隙間及び／又は前記第３の支持層の前記少なくとも２つの部分間の前記隙間が可撓性領域を提供する、請求項３９〜４１のいずれか一項に記載の支持構造体。
【請求項４３】
前記第３の支持層の前記少なくとも２つの部分間の前記隙間の幅が、前記第２の支持層の前記少なくとも２つの部分間の前記隙間の幅より大きい、請求項４１又は４２に記載の支持構造体。
【請求項４４】
前記第１の支持層の長さが前記第２の支持層の長さより大きい、請求項２８〜４３のいずれか一項に記載の支持構造体。
【請求項４５】
前記第１の支持層の長さが前記第３の支持層の長さより大きい、請求項３８〜４４のいずれか一項に記載の支持構造体。
【請求項４６】
前記第２の支持層の長さが前記第３の支持層の長さより大きい、請求項３８〜４５のいずれか一項に記載の支持構造体。
【請求項４７】
前記第２の支持層が、前記第２の支持層の可撓性セクションによって折り畳み可能であるように構成される、請求項３８〜４６のいずれか一項に記載の支持構造体。
【請求項４８】
前記第１の支持層の長さが前記第２の支持層の長さよりも大きく、前記第１の支持層の長さが前記第３の支持層の長さよりも大きく、前記第１の支持層が、前記第１の支持層の少なくとも縁部が前記第３の支持層に当接するように折り畳み可能であるように構成される、請求項３８〜４７のいずれか一項に記載の支持構造体。
【請求項４９】
前記第１の支持層が、約３００ｍｍ〜約４２０ｍｍの間の長さ、及び／又は約３００ｍｍ〜約４２０ｍｍの間の幅、及び／又は約５ｍｍ〜約１５ｍｍの間の厚さを含む、請求項２７〜４８のいずれか一項に記載の支持構造体。
【請求項５０】
前記第２の支持層が、約３００ｍｍ〜約４２０ｍｍの間の長さ、及び／又は約３００ｍｍ〜約４２０ｍｍの間の幅、及び／又は約５ｍｍ〜約１５ｍｍの間の厚さを含む、請求項２８〜４９のいずれか一項に記載の支持構造体。
【請求項５１】
前記第３の支持層が、約３００ｍｍ〜約４２０ｍｍの間の長さ、及び／又は約３００ｍｍ〜約４２０ｍｍの間の幅、及び／又は約３ｍｍ〜約７ｍｍの間の厚さを含む、請求項３８〜５０のいずれか一項に記載の支持構造体。
【請求項５２】
前記支持構造体が第１の流体分散層を備える、請求項１〜５１のいずれか一項に記載の支持構造体。
【請求項５３】
前記支持構造体が、流体が前記流体出口から前記第１の流体分散層を通って流れることができるように構成される、請求項５２に記載の支持構造体。
【請求項５４】
前記第１の流体分散層が織物材料から作製される、請求項５２又は５３に記載の支持構造体。
【請求項５５】
前記第１の流体分散層の少なくとも一部が多孔質であり、前記第１の流体分散層の少なくとも一部が非多孔質であり、前記第１の流体分散層の前記多孔質部分は、流体がそこを通過できるように構成され、前記第１の流体分散層の前記非多孔質部分は、流体の流れを緩和又は防止するように構成される、請求項５２〜５４のいずれか一項に記載の支持構造体。
【請求項５６】
前記第１の流体分散層の前記多孔質部分と前記流体出口が少なくとも部分的に重なり合う、請求項５５に記載の支持構造体。
【請求項５７】
前記第１の流体分散層の前記多孔質部分の幅が前記流体出口の幅より大きい、請求項５５又は５６に記載の支持構造体。
【請求項５８】
前記第１の流体分散層の前記多孔質部分の長さが前記流体出口の長さよりも大きい、請求項５５〜５７のいずれか一項に記載の支持構造体。
【請求項５９】
前記第１の流体分散層の前記多孔質部分が高表面積対体積比構造である、請求項５５〜５８のいずれか一項に記載の支持構造体。
【請求項６０】
前記第１の流体分散層の前記多孔質部分がメッシュ構造等である、請求項５５〜５９のいずれか一項に記載の支持構造体。
【請求項６１】
前記第１の流体分散層の前記非多孔質部分が前記第１の流体分散層の下部領域に位置する、請求項５５〜６０のいずれか一項に記載の支持構造体。
【請求項６２】
前記第１の流体分散層が、前記流体流路及び前記第１の支持層、前記第２の支持層、又は前記第３の支持層の少なくとも１つを実質的に取り囲むように構成される、請求項５２〜６１のいずれか一項に記載の支持構造体。
【請求項６３】
前記第１の流体分散層がパウチ等である、請求項５２〜６２のいずれか一項に記載の支持構造体。
【請求項６４】
前記支持構造体が第２の流体分散層を備える、請求項１〜６３のいずれか一項に記載の支持構造体。
【請求項６５】
前記第２の流体分散層は、前記第１の流体分散層からの流体がユーザに流れることを可能にするように構成される、請求項６４に記載の支持構造体。
【請求項６６】
前記第２の流体分散層の少なくとも一部が多孔質であり、前記第２の流体分散層の少なくとも一部が非多孔質であり、前記第２の流体分散層の前記多孔質部分は、そこを通る流体の流れを可能にするように構成され、前記第２の流体分散層の前記非多孔質部分は、流体の流れを緩和又は防止するように構成される、請求項６４又は６５に記載の支持構造体。
【請求項６７】
前記第２の流体分散層の前記多孔質部分と前記第１の流体分散層の前記多孔質部分が、少なくとも部分的に重なり合う、請求項６４〜６６のいずれか一項に記載の支持構造体。
【請求項６８】
前記第２の流体分散層の前記多孔質部分の幅が前記流体出口の幅より大きい、請求項６４〜６７のいずれか一項に記載の支持構造体。
【請求項６９】
前記第２の流体分散層の前記多孔質部分の長さが前記流体出口の長さよりも大きい、請求項６４〜６８のいずれか一項に記載の支持構造体。
【請求項７０】
前記第２の流体分散層の前記多孔質部分が高表面積対体積比構造である、請求項６４〜６９のいずれか一項に記載の支持構造体。
【請求項７１】
前記第２の流体分散層の前記多孔質部分がメッシュ構造等である、請求項６４〜７０のいずれか一項に記載の支持構造体。
【請求項７２】
前記第２の流体分散層の前記非多孔質部分が、前記第２の流体分散層の下部領域に位置する、請求項６４〜７１のいずれか一項に記載の支持構造体。
【請求項７３】
前記第２の流体分散層がパウチ等である、請求項６４〜７２のいずれか一項に記載の支持構造体。
【請求項７４】
前記支持構造体が流体流れ制御装置を備え、又はそれに取り付けられるように構成され、前記流体入口は前記流体流れ制御装置に接続可能である、請求項１〜７３のいずれか一項に記載の支持構造体。
【請求項７５】
前記流体流れ制御装置が送風機等である、請求項７４に記載の支持構造体。
【請求項７６】
前記流体流れ制御装置がハウジング内に形成され、前記ハウジングは送風機入口及び送風機出口を備え、前記送風機出口は前記流体流路の前記流体入口に接続される、請求項７４又は７５に記載の支持構造体。
【請求項７７】
前記支持構造体が制御モジュールを備える、請求項１〜７６のいずれか一項に記載の支持構造体。
【請求項７８】
前記制御モジュールが、前記流体流れ制御装置を制御するように構成される、請求項７７に記載の支持構造体。
【請求項７９】
前記流体流れ制御装置が電池を備える、請求項７４〜７８のいずれか一項に記載の支持構造体。
【請求項８０】
前記電池が充電式電池である、請求項７９に記載の支持構造体。
【請求項８１】
前記電池が約２．５ボルト〜約４．２ボルトの間の電圧及び／又は約３アンペアの最大電流を提供するように動作可能である、請求項７９又は８０に記載の支持構造体。
【請求項８２】
前記電池が約７０００ｍＡｈ〜約９０００ｍＡｈの間の容量を有する、請求項７９〜８１のいずれか一項に記載の支持構造体。
【請求項８３】
前記電池が、前記制御モジュール及び前記流体流れ制御装置に電力を提供するように構成され、使用中、前記電池は約３時間〜約２０時間持続し得る、請求項７９〜８２のいずれか一項に記載の支持構造体。
【請求項８４】
前記流体流路が支持層係合部分を備える、請求項１〜８３のいずれか一項に記載の支持構造体。
【請求項８５】
前記支持構造体は、前記支持層係合部分が前記第１の支持層、前記第２の支持層及び前記第３の支持層の少なくとも１つと係合可能であるように配置される、請求項８４に記載の支持構造体。
【請求項８６】
前記支持層係合部分が１つ以上の突起及び／又はタブ等を備える、請求項８４又は８５に記載の支持構造体。
【請求項８７】
前記支持層係合部分の少なくとも一部が前記流体流路の前記側壁の１つ以上に位置する、請求項８４〜８６のいずれか一項に記載の支持構造体。
【請求項８８】
前記流体流路の前記側壁の１つ以上が、前記第１の支持層、前記第２の支持層、及び前記第３の支持層の少なくとも１つと接触するか又はそれに面する外面を備え、前記支持層係合部分の少なくとも一部が、前記流体流路の前記側壁の前記外面の１つ以上に位置する、請求項８４〜８７のいずれか一項に記載の支持構造体。
【請求項８９】
前記１つ以上の突起が、前記流体流路の前記側壁の前記外面から離れる方に角度を付けられる、請求項８８に記載の支持構造体。
【請求項９０】
前記１つ以上の突起が、前記流体流路の前記側壁の前記外面から離れる方に最大約９０°まで角度を付けられる、請求項８９に記載の支持構造体。
【請求項９１】
前記流体流路が剛性部材を備え、前記剛性部材は前記流体流路の剛性を高めるように構成される、請求項１〜９０のいずれか一項に記載の支持構造体。
【請求項９２】
前記剛性部材の少なくとも一部が、前記流体流路の底面セクションに位置する、請求項９１に記載の支持構造体。
【請求項９３】
前記剛性部材が前記流体流路の前記側壁に接続される、請求項９１又は９２に記載の支持構造体。
【請求項９４】
前記剛性部材が１つ以上のストラット、ロッド、バー等である、請求項９１〜９３のいずれか一項に記載の支持構造体。
【請求項９５】
前記流体流れ制御装置が、前記流体流れ制御装置の前記ハウジングに固定されたフレーム部材を備え、前記第２の流体分散層が留め機構を備え、前記第２の流体分散層が前記第２の流体分散層の前記留め機構によって前記フレーム部材に取り付け可能である、請求項１〜９４のいずれか一項に記載の支持構造体。
【請求項９６】
前記フレーム部材が平坦な部材、バー、ロッド、ポール、ケーブル等である、請求項９５に記載の支持構造体。
【請求項９７】
ユーザの身体を支持するための支持構造体に流体を提供するための装置であって、
流体入口、及び
流体出口
を備える流体流路
を備える、ユーザを支持するための支持構造体を備え、
前記流体流路の少なくとも一部はテーパ状であり、前記少なくとも部分的にテーパ状の流体流路は第１の端部と第２の端部とを備え、
前記少なくとも部分的にテーパ状の流体流路の前記第１の端部は、前記流体入口の近位に位置し、前記少なくとも部分的にテーパ状の流体流路の前記第２の端部は、前記流体入口の遠位に位置し、
前記少なくとも部分的にテーパ状の流体流路の前記第２の端部の幅は、前記少なくとも部分的にテーパ状の流体流路の前記第１の端部の幅よりも大きい、装置。
【請求項９８】
前記流体が空気である、請求項９７に記載の装置。
【請求項９９】
前記装置が流体流れ制御装置をさらに備える、請求項９７又は９８に記載の装置。
【請求項１００】
前記流体流れ制御装置が送風機である、請求項９９に記載の装置。
【請求項１０１】
ユーザの身体を支持するための支持構造体の温度を制御する装置であって、
流体入口、及び
流体出口
を備える流体流路
を備える、ユーザを支持するための支持構造体を備え、
前記流体流路の少なくとも一部はテーパ状であり、前記少なくとも部分的にテーパ状の流体流路は第１の端部と第２の端部とを備え、
前記少なくとも部分的にテーパ状の流体流路の前記第１の端部は、前記流体入口の近位に位置し、前記少なくとも部分的にテーパ状の流体流路の前記第２の端部は、前記流体入口の遠位に位置し、
前記少なくとも部分的にテーパ状の流体流路の前記第２の端部の幅は、前記少なくとも部分的にテーパ状の流体流路の前記第１の端部の幅よりも大きい、装置。
【請求項１０２】
前記流体が空気である、請求項１０１に記載の装置。
【請求項１０３】
前記装置が流体流れ制御装置をさらに備える、請求項１０１又は１０２に記載の装置。
【請求項１０４】
前記流体流れ制御装置が送風機である、請求項１０３に記載の装置。
【請求項１０５】
流体を移動デバイス等のユーザに提供する方法であって、
流体入口、及び
流体出口
を備える流体流路
を備える、ユーザを支持するための支持構造体を提供するステップであって、
前記流体流路の少なくとも一部はテーパ状であり、前記少なくとも部分的にテーパ状の流体流路が第１の端部と第２の端部とを備え、
前記少なくとも部分的にテーパ状の流体流路の前記第１の端部は、前記流体入口の近位に位置し、前記少なくとも部分的にテーパ状の流体流路の前記第２の端部は、前記流体入口の遠位に位置し、
前記少なくとも部分的にテーパ状の流体流路の前記第２の端部の幅は、前記少なくとも部分的にテーパ状の流体流路の前記第１の端部の幅よりも大きいステップと
流体を前記流体入口を介して前記流体流路に提供するステップであって、その結果、流体は前記流体出口を通って前記ユーザへ流れるステップと
を含む方法。
【請求項１０６】
前記流体が空気である、請求項１０５に記載の方法。
【請求項１０７】
前記方法が流体流れ制御装置を提供するステップを含む、請求項１０５又は１０６に記載の方法。
【請求項１０８】
前記方法が前記流体入口を流体流れ制御装置に接続するステップを含む、請求項１０５〜１０７のいずれか一項に記載の方法。
【請求項１０９】
前記流体流れ制御装置が送風機である、請求項１０７又は１０８に記載の方法。
【請求項１１０】
前記流体が前記流体出口を通って流れた後又は流れているときに分散される、請求項１０５〜１０９のいずれか一項に記載の方法。
【請求項１１１】
流体を分散させる方法であって、
流体入口、及び
流体出口
を備える流体流路
を備える、ユーザを支持するための支持構造体を提供するステップであって、
前記流体流路の少なくとも一部はテーパ状であり、前記少なくとも部分的にテーパ状の流体流路は第１の端部と第２の端部とを備え、
前記少なくとも部分的にテーパ状の流体流路の前記第１の端部は、前記流体入口の近位に位置し、前記少なくとも部分的にテーパ状の流体流路の前記第２の端部は、前記流体入口の遠位に位置し、
前記少なくとも部分的にテーパ状の流体流路の前記第２の端部の幅は、前記少なくとも部分的にテーパ状の流体流路の前記第１の端部の幅よりも大きいステップと、
流体を前記流体入口を介して前記流体流路に提供するステップであって、その結果、流体は前記流体出口を通って前記ユーザへ流れるステップと、
分散された流体が前記ユーザに提供されるように、前記流体を前記流体出口を通って流れた後又は流れているときに分散させるステップと
を含む方法。
【請求項１１２】
前記流体が空気である、請求項１１１に記載の方法。
【請求項１１３】
前記方法が流体流れ制御装置を提供するさらなるステップを含む、請求項１１１又は１１２に記載の方法。
【請求項１１４】
前記方法が前記流体入口を流体流れ制御装置に接続するステップを含む、請求項１１１〜１１３のいずれか一項に記載の方法。
【請求項１１５】
前記流体流れ制御装置が送風機である、請求項１１３又は１１４に記載の方法。
【発明の詳細な説明】
【技術分野】
【０００１】
本発明は支持構造体に関し、特に、排他的ではないが、ユーザ、特に移動デバイス等のユーザの身体を支持するための支持構造体に空気を供給するための装置に関する。本発明はまた、ユーザの身体を支持するための支持構造体の温度を制御するための装置、移動デバイス等のユーザに流体を供給する方法、及び流体を分散させる方法に関する。
【背景技術】
【０００２】
移動デバイスのユーザは、熱及び水分の蓄積により不快感を覚えることが知られている。熱及び水分の蓄積は、場合によっては褥瘡及び皮膚萎縮に至る可能性もある。熱及び水分の蓄積を軽減又は防止するための既知の装置及びシステムには、多くの欠点がある。例えば、従来技術のいくつかの装置及びシステムは、例えば、その空気出口が背中の特定の領域に向けられた送風機及び空気出口装置によってユーザに供給される空気の流量を増加させる。しかしながら、空気出口が１つの領域に集中するため、そのような配置はユーザのわずかな領域しか冷やさず、しばしばユーザのその領域は過度に冷たくなり、一方でユーザの他の領域は過度に温かいままである。加えて、特に、例えば、送風機及び空気出口装置によって空気の流量が増加された場合、ユーザのわずかな領域に提供される空気の感覚は不快及び／又は刺激的であり得る。さらに、既知の装置及びシステムは、しばしばその人から水分を除去できない。これらの欠点は、ユーザのさらなる不快感の一因となり得る。
【０００３】
したがって、これらの問題の少なくともいくつかに対処する必要がある。特に、移動デバイスのユーザが経験する熱と水分の蓄積を減らすことが望まれる。
【０００４】
したがって、本発明の目的は、従来技術の欠点の少なくともいくつかを除去又は軽減することである。
【０００５】
本発明の目的は、移動デバイスのユーザが経験する熱及び／又は水分の蓄積を低減するための支持構造体を提供することである。本発明のさらなる目的は、移動デバイスのユーザが経験する熱及び／又は水分の蓄積を低減する方法を提供することである。
【０００６】
本明細書で使用される「移動デバイス」という用語は、車椅子、移動スクーター等などのあらゆる種類の個人移動デバイスを含むように理解されるべきである。
【発明の概要】
【課題を解決するための手段】
【０００７】
本発明の第１の態様によれば、移動デバイス等のユーザを支持するための支持構造体であって、
流体入口、及び
流体出口
を備える流体流路を備え、
流体流路の少なくとも一部はテーパ状であり、少なくとも部分的にテーパ状の流体流路は第１及び第２の端部を備え、
少なくとも部分的にテーパ状の流体流路の第１の端部は流体入口の近位に位置し、少なくとも部分的にテーパ状の流体流路の第２の端部は流体入口の遠位に位置し、
少なくとも部分的にテーパ状の流体流路の第２の端部の幅は、少なくとも部分的にテーパ状の流体流路の第１の端部の幅よりも大きい、
支持構造体が提供される。
【０００８】
少なくとも部分的にテーパ状の流体流路が、少なくともテーパ部分を有することが理解されよう。
【０００９】
流体流路の少なくとも一部は可撓性であってもよい。流体流路は可撓性であってもよい。流体流路は可撓性部材であってもよい。
【００１０】
支持構造体はクッションであってもよい。支持構造体は、背もたれクッションであってもよい。支持構造体は、移動デバイスのクッションであってもよい。支持構造体は車椅子のクッションであってもよい。支持構造体は、車椅子の背もたれクッションであってもよい。支持構造体は、シートクッションであってもよい。支持構造体は、移動デバイスのシートクッションであってもよい。支持構造体は、車椅子のシートクッションであってもよい。
【００１１】
実質的に流体流路の全体がテーパ状であってもよい。少なくとも部分的にテーパ状の流体流路の最大幅は、少なくとも部分的にテーパ状の流体流路の第２の端部に位置してもよい。少なくとも部分的にテーパ状の流体流路の最小幅は、少なくとも部分的にテーパ状の流体流路の第１の端部に位置してもよい。
【００１２】
流体流路は側壁を備えてもよい。側壁間の最小分離距離は、少なくとも部分的にテーパ状の流体流路の第１の端部に位置してもよい。側壁間の最大分離距離は、少なくとも部分的にテーパ状の流体流路の第２の端部に位置してもよい。側壁間の最小分離距離は、少なくとも部分的にテーパ状の流体流路の第１の端部に位置し、側壁間の最大分離距離は、少なくとも部分的にテーパ状の流体流路の第２の端部に位置してもよい。
【００１３】
少なくとも部分的にテーパ状の流体流路の第１の端部の深さは、少なくとも部分的にテーパ状の流体流路の第２の端部の深さより大きくてもよい。
【００１４】
少なくとも部分的にテーパ状の流体流路の第１の端部は、実質的に長方形の断面を備えてもよい。少なくとも部分的にテーパ状の流体流路の第２の端部は、実質的に長方形の断面を備えてもよい。少なくとも部分的にテーパ状の流体流路は、第１の端部から第２の端部まで実質的に長方形の断面を有してもよい。少なくとも部分的にテーパ状の流体流路の第１の端部の断面の面積は、少なくとも部分的にテーパ状の流体流路の第２の端部の断面の面積より大きくてもよい。
【００１５】
流体出口は、流体流路の１つ以上のアパーチャから形成されてもよい。流体流路は上面セクションを備えてもよい。流体流路の上面セクションは、１つ以上のアパーチャを備えてもよく、１つ以上のアパーチャは、１つ以上の流体出口を形成する。流体流路の上面セクションは、開口部を備えてもよく、流体流路の上面セクションの開口部は、流体出口を画定する。上面セクションは、閉鎖部を備えてもよく、流体流路の上面セクションの閉鎖部は、流体入口の近位に位置してもよい。実質的に流体流路の上面セクションの全体が開口してもよく、その結果流体出口を形成する。
【００１６】
流体出口は、第１の端部及び第２の端部を備えてもよく、流体出口の第１の端部は、流体入口の近位に位置し、流体出口の第２の端部は、流体入口の遠位に位置し、流体出口の第２の端部の幅は、流体出口の第１の端部の幅よりも大きくてもよい。
【００１７】
流体出口は、少なくとも部分的にテーパ状の流体流路の上面と実質的に同じ形状であってもよい。流体出口は、少なくとも部分的にテーパ状の流体流路と実質的に同じ形状であってもよい。
【００１８】
流体は空気であってもよい。
【００１９】
流体流路は、１つ以上のフィンを備えてもよい。フィン又は各フィンは、細長い長手方向部材であってもよい。フィン又は各フィンは、少なくとも部分的にテーパ状の流体流路の第１の端部から少なくとも部分的にテーパ状の流体流路の第２の端部まで実質的に長手方向に配置されてもよい。
【００２０】
フィンは、テーパ状の配置で配置されてもよい。各フィンは第１の端部と第２の端部を備え、各フィンの第１の端部は流体入口の近位に位置し、各フィンの第２の端部は流体入口の遠位に位置し、フィン間の分離は第１の端部よりも第２の端部でより大きくてもよい。
【００２１】
流体入口の近位から流体入口の遠位までのフィン又は各フィンの輪郭は、弓状の形状を有していてもよい。フィン又は各フィンは、ユーザに支持を提供するように構成できるように、弾性材料から作られてもよい。
【００２２】
支持構造体は、第１の支持層を備えてもよい。支持構造体は、第２の支持層を備えてもよい。第１の支持層は、第２の支持層に隣接していてもよい。第１の支持層及び第２の支持層の少なくとも一方は、流体流路係合セクションを備えてもよい。第１の支持層及び第２の支持層の少なくとも一方は、流体流路係合セクションを備えてもよく、流体流路係合セクションは、少なくとも部分的にテーパ状の流体流路と係合するように構成される。第１の支持層及び第２の支持層の少なくとも一方は、流体流路係合セクションを備えてもよく、流体流路係合セクションは、流体流路と係合するように構成される。
【００２３】
第１の支持層及び第２の支持層の少なくとも一方は、流体流路を実質的に取り囲んでもよい。流体流路係合セクションの少なくとも一部はテーパ状であってもよい。流体流路係合セクションの少なくとも一部、及び流体流路の少なくとも一部は、実質的に同一平面になるように配置されてもよい。
【００２４】
流体流路係合セクションの少なくとも一部、及び流体出口の少なくとも一部は、同一平面上にあるように配置されてもよい。流体流路係合セクションは、流体流路と形状が実質的に同一であってもよい。流体流路係合セクションは、流体出口と形状が実質的に同一であってもよい。
【００２５】
第１の支持層は、実質的に平坦な部材であってもよい。第１の支持層は、実質的に長方形の平坦部材であってもよい。第２の支持層は、実質的に平坦な部材であってもよい。第２の支持層は、実質的に長方形の平坦部材であってもよい。第１の支持層及び第２の支持層の少なくとも一方は、実質的に平坦な部材であってもよい。
【００２６】
第１の支持層は、弾性材料から作製されてもよい。第２の支持層は、弾性材料から作製されてもよい。第１の支持層及び第２の支持層の少なくとも一方は、弾性材料から作製されてもよい。
【００２７】
支持構造体は、第３の支持層を備えてもよい。第３の支持層は、実質的に平坦な部材であってもよい。第３の支持層は、実質的に長方形の平坦部材であってもよい。第２の支持層は、第１の支持層と第３の支持層との間に位置してもよい。
【００２８】
支持構造体は、可撓性領域を介して折り畳めるように構成可能であってもよい。第３の支持層は、少なくとも２つの部分を含んでもよく、少なくとも２つの部分は、それらの間に隙間を提供するために離間される。第２の支持層は、少なくとも２つの部分を含んでもよく、少なくとも２つの部分は、それらの間に隙間を提供するために離間される。第２の支持層の少なくとも２つの部分間の隙間、及び／又は第３の支持層の少なくとも２つの部分間の隙間は、可撓性領域を提供してもよい。
【００２９】
第３の支持層の少なくとも２つの部分間の隙間の幅は、第２の支持層の少なくとも２つの部分間の隙間の幅より大きくてもよい。第１の支持層の長さは、第２の支持層の長さより大きくてもよい。第１の支持層の長さは、第３の支持層の長さより大きくてもよい。第２の支持層の長さは、第３の支持層の長さより大きくてもよい。第２の支持層は、第２の支持層の可撓性セクションによって折り畳み可能であるように構成されてもよい。第１の支持層の長さは、第２の支持層の長さよりも大きくてもよく、第１の支持層の長さは、第３の支持層の長さよりも大きくてもよく、第１の支持層は、第１の支持層の少なくとも縁部が第３の支持層に当接するように折り畳み可能であるように構成される。
【００３０】
第１の支持層は、約３００ｍｍ〜約４２０ｍｍの間の長さを含むことができる。第１の支持層は、約３００ｍｍ〜約４２０ｍｍの間の幅を含むことができる。第１の支持層は、約５ｍｍ〜約１５ｍｍの間の厚さを含むことができる。第１の支持層は、約３００ｍｍ〜約７７０ｍｍの間の長さを含むことができる。
【００３１】
第２の支持層は、約３００ｍｍ〜約４２０ｍｍの間の長さを含むことができる。第２の支持層は、約３００ｍｍ〜約４２０ｍｍの間の幅を含むことができる。第２の支持層は、約５ｍｍ〜約１５ｍｍの間の厚さを含むことができる。第２の支持層は、約３００ｍｍ〜約７７０ｍｍの間の長さを含むことができる。
【００３２】
第３の支持層は、約３００ｍｍ〜約４２０ｍｍの間の長さを含むことができる。第３の支持層は、約３００ｍｍ〜約４２０ｍｍの間の幅を含むことができる。第３の支持層は、約３ｍｍ〜約７ｍｍの間の厚さを含むことができる。第３の支持層は、約３００ｍｍ〜約７７０ｍｍの間の長さを含むことができる。
【００３３】
支持構造体は、第１の流体分散層を備えてもよい。支持構造体は、流体が流体出口から第１の流体分散層を通って流れることができるように構成されてもよい。第１の流体分散層は、織物材料から作製されてもよい。
【００３４】
第１の流体分散層の少なくとも一部は多孔質であってもよい。第１の流体分散層の少なくとも一部は非多孔質であってもよい。第１の流体分散層の多孔質部分は、流体がそこを通過できるように構成されてもよい。第１の流体分散層の非多孔質部分は、流体の流れを緩和又は防止するように構成されてもよい。
【００３５】
第１の流体分散層の多孔質部分と流体出口は、少なくとも部分的に重なり合っていてもよい。第１の流体分散層の多孔質部分の幅は、流体出口の幅より大きくてもよい。
【００３６】
第１の流体分散層の多孔質部分の長さは、流体出口の長さよりも大きくてもよい。
【００３７】
第１の流体分散層の多孔質部分は、高表面積対体積比構造であり得る。第１の流体分散層の多孔質部分は、メッシュ構造等であってもよい。
【００３８】
第１の流体分散層の非多孔質部分は、第１の流体分散層の下部領域に位置してもよい。第１の流体分散層は、支持構造体を実質的に取り囲むように構成されてもよい。第１の流体分散層は、流体流路を実質的に囲むように構成されてもよい。第１の流体分散層は、第１の支持層を実質的に取り囲むように構成されてもよい。第１の流体分散層は、第２の支持層を実質的に取り囲むように構成されてもよい。第１の流体分散層は、第３の支持層を実質的に取り囲むように構成されてもよい。第１の流体分散層は、流体流路及び第１の支持層、又は第２の支持層、又は第３の支持層の少なくとも１つを実質的に取り囲むように構成されてもよい。第１の流体分散層は、パウチ等であってもよい。支持構造体は、第２の流体分散層を備えてもよい。第２の流体分散層は、第１の流体分散層からの流体がユーザに流れることを可能にするように構成されてもよい。
【００３９】
第２の流体分散層の少なくとも一部は多孔質であってもよく、及び／又は第２の流体分散層の少なくとも一部は非多孔質であってもよい。第２の流体分散層の多孔質部分は、そこを通る流体の流れを可能にするように構成されてもよい。第２の流体分散層の非多孔質部分は、流体の流れを緩和又は防止するように構成されてもよい。
【００４０】
第２の流体分散層の多孔質部分と第１の流体分散層の多孔質部分とは、少なくとも部分的に重なり合っていてもよい。第２の流体分散層の多孔質部分の幅は、流体出口の幅より大きくてもよい。第２の流体分散層の多孔質部分の長さは、流体出口の長さよりも大きくてもよい。第２の流体分散層の多孔質部分は、高表面積対体積比構造であってもよい。
【００４１】
第２の流体分散層の多孔質部分は、メッシュ構造等であってもよい。第２の流体分散層の非多孔質部分は、第２の流体分散層の下部領域に位置してもよい。第２の流体分散層の非多孔質部分は、第２の流体分散層の多孔質部分を実質的に取り囲むように構成されてもよい。第２の流体分散層は、パウチ等であってもよい。
【００４２】
支持構造体は、流体流れ制御装置を備えてもよく、又はそれに取り付けられるように構成される。流体入口は、流体流れ制御装置に接続可能であってもよい。
【００４３】
流体流れ制御装置は、送風機等であってもよい。流体流れ制御装置は、ポンプ等であってもよい。
【００４４】
流体流れ制御装置は、ハウジング内に形成されてもよい。ハウジングは、送風機入口及び送風機出口を備えてもよい。送風機出口は、流体流路の流体入口に接続されてもよい。
【００４５】
ハウジングは、ポンプ入口及びポンプ出口を備えてもよい。ポンプ出口は、流体流路の流体入口に接続されてもよい。ポンプ入口は、流体源に接続されてもよい。
【００４６】
支持構造体は、制御モジュールを備えてもよい。制御モジュールは、流体流れ制御装置を制御するように構成されてもよい。
【００４７】
流体流れ制御装置は電池を備えてもよい。電池は充電式電池でもよい。電池はリチウムイオン電池であってもよい。
【００４８】
電池は、約２．５ボルト〜約４．２ボルトの間の電圧を提供するように動作可能であってもよい。電池は、約３アンペアの最大電流を提供するように動作可能であってもよい。電池は、約２．５ボルト〜約４．２ボルトの間の電圧及び／又は約３アンペアの最大電流を提供するように動作可能であってもよい。電池は、約７０００ｍＡｈ〜約９０００ｍＡｈの間の容量を有してもよい。電池は約７８００ｍＡｈの容量を有してもよい。電池は、制御モジュール及び流体流れ制御装置に電力を提供してもよい。使用中、電池は約３時間〜約２０時間持続してもよい。使用中、電池は約３時間〜約２４時間持続してもよい。
【００４９】
流体入口は、アタッチメント機構によって流体流れ制御装置に接続可能であってもよい。アタッチメント機構は、スナップ嵌めコネクタ、摩擦嵌めコネクタ、クランプコネクタ等であってもよい。１つ以上、又は複数の流体入口があってもよい。流体入口又は各流体入口は、流体流れ制御装置に接続可能であってもよい。流体入口は、実質的に長方形の断面を有してもよい。
【００５０】
流体出口は、１つ以上、又は複数のアパーチャを備えてもよい。
【００５１】
支持構造体は、１つ以上、又は複数の流体流路を備えてもよい。支持構造体は、２つの流体流路を備えてもよい。流体流路は、実質的に等距離に間隔を空けられてもよい。
【００５２】
流体流路の上面セクションは、１つ以上、又は複数のアパーチャを備えてもよい。流体流路の側壁は、１つ以上、又は複数のアパーチャを備えてもよい。底面セクションは、１つ以上、又は複数のアパーチャを備えてもよい。流体出口は、上面セクション、側壁、及び／又は底面セクションの１つ以上、又は複数のアパーチャによって形成されてもよい。流体流路の上面セクションは、多孔質膜を備えてもよい。多孔質膜はメッシュ構造であってもよい。
【００５３】
フィン又は各フィンは、弾性材料から作られてもよい。フィン又は各フィンは、プラスチック材料から作られてもよい。フィン又は各フィンは、ポリウレタンから作られてもよい。フィン又は各フィンは、エラストマー材料から作られてもよい。フィン又は各フィンは、成形エラストマーから作られてもよい。フィン又は各フィンは、使用中にユーザの体重が流体流路を変形しないように、弾性材料から作られてもよい。フィン又は各フィンは、使用中にユーザの体重が流体流路内の流体の流れを妨害しないように、弾性材料から作られてもよい。
【００５４】
フィン又は各フィンは、第１の端部及び第２の端部を備えてもよい。各フィンの第１の端部は、流体入口の近位に位置してもよい。各フィンの第２の端部は、流体入口の遠位に位置してもよい。フィン間の間隔は、第１の端部よりも第２の端部の方で大きくてもよい。この構成において、フィンはテーパ状である。この構成において、流体入口から流体出口への流体の流れの妨害は最小限に抑えられる。
【００５５】
流体流路の側壁の少なくとも一部は、実質的に平坦であってもよい。流体流路の側壁は、実質的に平坦な部材であってもよい。流体流路の側壁は細長い部材であってもよい。流体流路の側壁は、細長い平坦な部材であってもよい。理論に拘束されることを望まないが、実質的に平坦な側壁は渦の形成を防ぎ、したがって実質的に平坦な側壁は流体流路内の流体の流れの効率を高めると考えられる。
【００５６】
流体流れ制御装置は、１つ以上の送風機を備えてもよい。送風機又は各送風機は、ラジアルファンであってもよい。流体流れ制御装置は、１つ以上のポンプを備えてもよい。
【００５７】
流体流れ制御装置の流体出口は、アタッチメント機構を介して流体流路の流体入口に接続可能であってもよい。アタッチメント機構は、スナップ嵌めコネクタであってもよい。アタッチメント機構は、着脱可能なアタッチメント機構であってもよい。アタッチメント機構は、プラグ及びソケットを備えてもよい。
【００５８】
プラグは、１つ以上のソケット係合部分を備えてもよい。ソケット係合部分の少なくとも１つは弾性部材であってもよい。ソケット係合部分の少なくとも１つは、可撓性部材であってもよい。ソケット係合部分の少なくとも１つは、第１の位置で存在するように付勢されてもよい。ソケット係合部分の少なくとも１つは、直方体を含んでもよく、これは任意に実質的に丸みを帯びた直方体である。
【００５９】
ソケットは、１つ以上のプラグ係合部分を備えてもよい。プラグ係合部分の少なくとも１つは、スロット、アパーチャ、穴等であってもよい。プラグ係合部分の少なくとも１つは、ソケットの実質的に長方形の穴であってもよい。プラグ係合部分の少なくとも１つは、ソケット内の長方形の穴であってもよく、これは任意に実質的に丸みを帯びた長方形の穴である。
【００６０】
プラグ及びソケットは、ロック解除状態とロック状態との間で移動可能に構成されてもよい。ロック解除状態とロック状態との間で移動されるとき、ソケット係合部分の少なくとも１つは、第１の位置から第２の位置へ、そして任意に第２の位置から第１の位置へ移動してもよい。
【００６１】
流体流れ制御装置は、１つ以上の電池を備えてもよい。１つ以上の電池は、流体流れ制御装置のハウジング内に収容されてもよい。
【００６２】
制御モジュールは、流体流れ制御装置に接続可能であってもよい。制御モジュールは、流体流れ制御装置を制御するように構成可能であってもよい。制御モジュールは、流体流れ制御装置の流体出口を出る流体の流量を制御するように構成可能であってもよい。制御モジュールは、無線通信により流体流れ制御装置を制御するように構成可能であってもよい。制御モジュールは、制御モジュールと流体流れ制御装置との間の有線接続によって流体流れ制御装置を制御するように構成可能であってもよい。流体流れ制御装置は、電気コネクタを備えてもよい。電気コネクタは、流体流れ制御装置の頂部領域に配置されてもよい。電気コネクタは、流体流れ制御装置の上面に配置されてもよい。電気コネクタは、流体流れ制御装置のハウジングの送風機出口に実質的に隣接して配置されてもよい。制御モジュールは、１つ以上の電池を備えてもよい。制御モジュールは、１つ以上の充電式電池を備えてもよい。制御モジュールは、１つ以上のユニバーサルシリアルバス（ＵＳＢ）ポートを備えてもよい。制御モジュールの１つ以上の充電式電池は、制御モジュールのＵＳＢポートを介して充電されてもよい。流体流れ制御装置の充電式電池は、制御モジュールの１つ以上のＵＳＢポートを介して充電することができる。流体流れ制御装置の充電式電池は、充電ポートを介して充電することができる。充電ポートは、流体流れ制御装置のハウジングに配置されてもよい。充電ポートは、充電式電池に実質的に隣接して配置されてもよい。充電ポートは、流体流れ制御装置の上面に配置されてもよい。充電ポートは、流体流れ制御装置のハウジングの送風機出口に実質的に隣接して配置されてもよい。
【００６３】
第１の流体分散層は、１つ以上の流体分散層を備えてもよい。第１の流体分散層は、第１の部分及び第２の部分を備えてもよい。第１の流体分散層は、第１の部分及び第２の部分を備えてもよく、第１の部分及び第２の部分は互いに取り付け可能である。第１の部分及び第２の部分は互いに取り付け可能であってもよく、支持構造体上にフィットするように構成可能であってもよい。この構成において、第１の流体分散層は、支持構造体上に配置されてもよい。この構成において、第１の流体分散層は、支持構造体上に配置されてもよく、留め機構又はアタッチメント機構によって固定されてもよい。留め機構は、１つ以上、又は複数のスナップ留め具であってもよい。留め機構は、１つ以上、又は複数のステッチ等であってもよい。
【００６４】
第１の流体分散層は、水分をユーザから逃がすように構成されてもよい。すなわち、第１の流体分散層は、ウィッキング機構によりユーザから流体を除去するように構成されてもよい。
【００６５】
第１の流体分散層は、１つ以上の、又は複数の非多孔質セクションを含んでもよい。非多孔質セクション又は各非多孔質セクションは、第１の流体分散層を通る流体の流れを遮断するように構成可能であってもよい。
【００６６】
第１の流体分散層は、上部領域及び下部領域を備えてもよい。第１の流体分散層の下部領域は、流体入口の近位に位置してもよい。第１の流体分散層の上部領域は、流体入口の遠位に位置してもよい。
【００６７】
非多孔質セクション又は各非多孔質セクションは、第１の流体分散層の下部領域に位置してもよい。非多孔質セクション又は各非多孔質セクションは、第１の流体分散層の上部領域に位置してもよい。
【００６８】
第１の流体分散層は、１つ以上の流体入口係合部分を備えてもよい。１つ以上の流体入口係合部分は、流体入口と係合するように、又は流体入口を実質的に取り囲むように構成可能であってもよい。この構成において、第１の流体分散層の一部が流体入口を取り囲んでいる。１つ以上の流体入口係合部分は、流体流れ制御装置の一部と係合するか、又はそれを実質的に取り囲むように構成可能であってもよい。
【００６９】
第２の流体分散層は、カバー層の形態であってもよい。第２の流体分散層は、例えば、第１、第２、及び第３の支持層、流体流路、及び第１の流体分散層のためのハウジングとして作用するカバー層の形態であってもよい。
【００７０】
第２の流体分散層は、車椅子等などの移動デバイスに取り付け可能であってもよい。第２の流体分散層は、留め機構によって移動デバイス等などに取り付け可能であってもよい。留め機構は、フックアンドループ機構であってもよい。この構成において、第２の流体分散層は支持構造体を取り囲むか又は収容してもよく、第２の流体分散層は移動デバイス等に取り付け可能であってもよく、その結果、支持構造体は移動デバイスに固定される。
【００７１】
第２の流体分散層は、水分をユーザから逃がすように構成されてもよい。すなわち、第２の流体分散層は、ウィッキング機構によってユーザから流体を除去するように構成されてもよい。
【００７２】
第２の流体分散層の少なくとも一部は多孔質であってもよい。多孔質部分は、多孔質材料、又はメッシュ状材料から作られてもよい。多孔質部分は、実質的に長方形の断面を有してもよい。多孔質部分の少なくとも１つの縁部は弓状であってもよい。多孔質部分の少なくとも１つの縁部は正弦波形状であってもよい。
【００７３】
第２の流体分散層は、１つ以上、又は複数の非多孔質セクションを含んでもよい。非多孔質セクション又は各非多孔質セクションは、流体の流れを遮断するように構成可能であってよい。この構成において、流体は、第２の流体分散層の多孔質部分を通って流れ得る。この構成において、流体は、第２の流体分散層の非多孔質セクションを通って流れることを防止され得る。
【００７４】
第２の流体分散層は、上部領域及び下部領域を含んでもよい。第２の流体分散層の下部領域は、流体入口の近位に位置してもよい。第２の流体分散層の上部領域は、流体入口の遠位に位置してもよい。
【００７５】
非多孔質セクション又は各非多孔質セクションは、第２の流体分散層の下部領域に位置してもよい。非多孔質セクション又は各非多孔質セクションは、第２の流体分散層の上部領域に位置してもよい。非多孔質セクション又は各非多孔質セクションは、実質的に長方形の断面を有してもよい。
【００７６】
移動デバイスは車椅子等であってもよい。
【００７７】
流体流路の側壁の１つ以上は、第１の支持層、第２の支持層、及び第３の支持層の少なくとも１つと接触するか又はそれに面する外面を備えてもよい。
【００７８】
流体流路は、支持層係合部分を備えてもよい。支持構造体は、支持層係合部分が第１の支持層、第２の支持層及び第３の支持層の少なくとも１つと係合可能であるように配置されてもよい。支持層係合部分は、１つ以上の突起を備えてもよい。
【００７９】
支持層係合部分の少なくとも一部は、流体流路の側壁の１つ以上に位置してもよい。支持層係合部分の少なくとも一部は、流体流路の側壁の外面の１つ以上に配置されてもよい。支持層係合部分は、流体流路の側壁の１つ以上に配置された１つ以上の突起を備えてもよい。１つ以上の突起は、流体流路の側壁の外面の１つ以上に配置されてもよい。１つ以上の突起は、平坦な部材及び／又はタブであってもよい。
【００８０】
１つ以上の突起は、側壁の外面から離れる方に角度を付けられてもよい。１つ以上の突起は、側壁の外面から離れる方に最大約９０°まで角度を付けられてもよい。１つ以上の突起は、突起が概ね流体流路の入口に向かって傾斜するように、側壁の外面から離れる方に最大約９０°まで角度を付けられてもよい。
【００８１】
第１の支持層、第２の支持層、及び第３の支持層のうちの少なくとも１つは、支持層係合部分の少なくとも一部を収容するように構成されてもよい。第１の支持層、第２の支持層、及び第３の支持層の少なくとも１つは、１つ以上のスロット、スリット、切欠き部等によって支持層係合部分の少なくとも一部を収容するように構成されてもよい。
【００８２】
流体流路は剛性部材を備えてもよい。剛性部材は、流体流路の底面セクションに少なくとも部分的に配置されてもよい。剛性部材は、流体流路の側壁に接続されてもよい。剛性部材は、流体流路と一体的に形成されてもよい。剛性部材は、１つ以上のストラット、ロッド、バー等であってもよい。剛性部材は、ハッチ構造で配置されてもよい。ハッチ構造は、実質的に菱形のハッチ構造等であってもよい。剛性部材は、流体流路の変形を緩和するように構成されてもよい。剛性部材は、流体流路の剛性を高めるように構成されてもよい。剛性部材は、流体流路に支持を提供するように構成されてもよい。
【００８３】
流体流れ制御装置は、フレーム部材を備えてもよい。フレーム部材は、流体流れ制御装置のハウジングに着脱可能に取り付け可能であってもよい。フレーム部材は、任意に接着剤により、流体流れ制御装置のハウジングに固定されてもよい。接着剤は、グルー等であってもよい。フレーム部材は、バー、ロッド、ポール、ケーブル等であってもよい。フレーム部材は平坦な部材であってもよい。第２の流体分散層は、フレーム部材に取り付け可能であってもよい。第２の流体分散層は、第２の流体分散層の留め機構によってフレーム部材に取り付け可能であってもよい。フレーム部材は、流体流れ制御装置のハウジングと一体に形成されてもよい。フレーム部材は、プラスチック材料から作られてもよい。
【００８４】
本発明の第２の態様によれば、
流体入口、及び
流体出口
を備える流体流路
を備える支持構造体が提供される。
【００８５】
流体流路の少なくとも一部はテーパ状であってもよい。少なくとも部分的にテーパ状の流体流路は、第１の端部及び第２の端部を含んでもよく、少なくとも部分的にテーパ状の流体流路の第１の端部は、流体入口の近位に配置され、少なくとも部分的にテーパ状の流体流路の第２の端部は、流体入口の遠位に配置されている。少なくとも部分的にテーパ状の流体流路の第２の端部の幅は、少なくとも部分的にテーパ状の流体流路の第１の端部の幅より大きくてもよい。
【００８６】
本発明の第２の態様の実施形態は、本発明の第１の態様又はその実施形態の１つ以上の特徴を含んでもよい。同様に、本発明の第１の態様の実施形態は、本発明の第２の態様又はその実施形態の１つ以上の特徴を含んでもよい。
【００８７】
本発明の第３の態様によれば、
流体入口、及び
流体出口
を備える流体流路
を備えるクッションが提供される。
【００８８】
流体流路の少なくとも一部はテーパ状であってもよい。少なくとも部分的にテーパ状の流体流路は、第１の端部及び第２の端部を含んでもよく、少なくとも部分的にテーパ状の流体流路の第１の端部は、流体入口の近位に配置され、少なくとも部分的にテーパ状の流体流路の第２の端部は、流体入口の遠位に配置されている。少なくとも部分的にテーパ状の流体流路の第２の端部の幅は、少なくとも部分的にテーパ状の流体流路の第１の端部の幅より大きくてもよい。
【００８９】
本発明の第３の態様の実施形態は、本発明の第１又は第２の態様又はそれらの実施形態の１つ以上の特徴を含んでもよい。同様に、本発明の第１又は第２の態様の実施形態は、本発明の第３の態様又はその実施形態の１つ以上の特徴を含んでもよい。
【００９０】
本発明の第４の態様によれば、
流体入口、及び
流体出口
を備える流体流路
を備えるユーザの体温を制御するための装置が提供される。
【００９１】
流体流路の少なくとも一部はテーパ状であってもよい。少なくとも部分的にテーパ状の流体流路は、第１の端部及び第２の端部を含んでもよく、少なくとも部分的にテーパ状の流体流路の第１の端部は、流体入口の近位に配置され、少なくとも部分的にテーパ状の流体流路の第２の端部は、流体入口の遠位に配置されている。少なくとも部分的にテーパ状の流体流路の第２の端部の幅は、少なくとも部分的にテーパ状の流体流路の第１の端部の幅より大きくてもよい。
【００９２】
本発明の第４の態様の実施形態は、本発明の第１、第２又は第３の態様又はそれらの実施形態の１つ以上の特徴を含んでもよい。同様に、本発明の第１、第２又は第３の態様の実施形態は、本発明の第４の態様又はその実施形態の１つ以上の特徴を含んでもよい。
【００９３】
本発明の第５の態様によれば、ユーザの身体を支持するための支持構造体に流体を提供するための装置であって、
流体入口、及び
流体出口
を備える流体流路
を備える、ユーザを支持するための支持構造体を備え、
流体流路の少なくとも一部はテーパ状であり、少なくとも部分的にテーパ状の流体流路は第１の端部と第２の端部とを備え、
少なくとも部分的にテーパ状の流体流路の第１の端部は、流体入口の近位に位置し、少なくとも部分的にテーパ状の流体流路の第２の端部は、流体入口の遠位に位置し、
少なくとも部分的にテーパ状の流体流路の第２の端部の幅は、少なくとも部分的にテーパ状の流体流路の第１の端部の幅よりも大きい、
装置が提供される。
【００９４】
流体は空気であってもよい。
【００９５】
装置は、流体流れ制御装置をさらに備えてもよい。
【００９６】
流体流れ制御装置は送風機であってもよい。流体流れ制御装置はポンプ等であってもよい。
【００９７】
本発明の第５の態様の実施形態は、本発明の第１、第２、第３又は第４の態様又はそれらの実施形態の１つ以上の特徴を含んでもよい。同様に、本発明の第１、第２、第３又は第４の態様の実施形態は、本発明の第５の態様又はその実施形態の１つ以上の特徴を含んでもよい。
【００９８】
本発明の第６の態様によれば、ユーザの身体を支持するための支持構造体の温度を制御する装置であって、
流体入口、及び
流体出口
を備える流体流路
を備える、ユーザを支持するための支持構造体を備え、
流体流路の少なくとも一部はテーパ状であり、少なくとも部分的にテーパ状の流体流路は第１の端部と第２の端部とを備え、
少なくとも部分的にテーパ状の流体流路の第１の端部は、流体入口の近位に位置し、少なくとも部分的にテーパ状の流体流路の第２の端部は、流体入口の遠位に位置し、
少なくとも部分的にテーパ状の流体流路の第２の端部の幅は、少なくとも部分的にテーパ状の流体流路の第１の端部の幅よりも大きい、
装置が提供される。
【００９９】
流体は空気であってもよい。
【０１００】
装置は、流体流れ制御装置をさらに備えてもよい。
【０１０１】
流体流れ制御装置は送風機であってもよい。流体流れ制御装置はポンプ等であってもよい。
【０１０２】
本発明の第６の態様の実施形態は、本発明の第１、第２、第３、第４又は第５の態様又はそれらの実施形態の１つ以上の特徴を含んでもよい。同様に、本発明の第１、第２、第３、第４、又は第５の態様の実施形態は、本発明の第６の態様又はその実施形態の１つ以上の特徴を含んでもよい。
【０１０３】
本発明の第７の態様によれば、流体を移動デバイス等のユーザに提供する方法であって、
流体入口、及び
流体出口
を備える流体流路
を備える、ユーザを支持するための支持構造体を提供するステップであって、
流体流路の少なくとも一部はテーパ状であり、テーパ状の部分は第１の端部と第２の端部とを備え、
テーパ状部分の第１の端部は、流体入口の近位に位置し、テーパ状部分の第２の端部は、流体入口の遠位に位置し、
テーパ状部分の第２の端部の幅は、テーパ状部分の第１の端部の幅よりも大きいステップと
流体を流体入口を介して流体流路に提供するステップであって、その結果、流体は流体出口を通ってユーザへ流れるステップと
を含む方法が提供される。
【０１０４】
流体は空気であってもよい。
【０１０５】
方法は、流体流れ制御装置を提供するステップを含んでもよい。
【０１０６】
方法は、流体入口を流体流れ制御装置に接続するステップを含んでもよい。
【０１０７】
流体流れ制御装置は送風機であってもよい。流体流れ制御装置はポンプ等であってもよい。
【０１０８】
流体は、流体出口を通って流れた後、又は流れているときに分散されてもよい。
【０１０９】
本発明の第７の態様の実施形態は、本発明の第１、第２、第３、第４、第５又は第６の態様又はそれらの実施形態の１つ以上の特徴を含んでもよい。同様に、本発明の第１、第２、第３、第４、第５又は第６の態様の実施形態は、本発明の第７の態様又はその実施形態の１つ以上の特徴を含んでもよい。
【０１１０】
本発明の第８の態様によれば、流体を分散させる方法であって、
流体入口、及び
流体出口
を備える流体流路
を備える、ユーザを支持するための支持構造体を提供するステップであって、
流体流路の少なくとも一部はテーパ状であり、テーパ状の部分は第１の端部と第２の端部とを備え、
テーパ状部分の第１の端部は、流体入口の近位に位置し、テーパ状部分の第２の端部は、流体入口の遠位に位置し、
テーパ状部分の第２の端部の幅は、テーパ状部分の第１の端部の幅よりも大きいステップと、
流体を流体入口を介して流体流路に提供するステップであって、その結果、流体は流体出口を通ってユーザへ流れるステップと、
分散された流体がユーザに提供されるように、流体を流体出口を通って流れた後又は流れているときに分散させるステップと
を含む方法が提供される。
【０１１１】
流体は空気であってもよい。
【０１１２】
方法は、流体流れ制御装置を提供するさらなるステップを含んでもよい。
【０１１３】
方法は、流体入口を流体流れ制御装置に接続するステップを含んでもよい。
【０１１４】
流体流れ制御装置は送風機であってもよい。流体流れ制御装置はポンプ等であってもよい。
【０１１５】
本発明の第８の態様の実施形態は、本発明の第１、第２、第３、第４、第５、第６又は第７の態様又はそれらの実施形態の１つ以上の特徴を含んでもよい。同様に、本発明の第１、第２、第３、第４、第５、第６又は第７の態様の実施形態は、本発明の第８の態様又はその実施形態の１つ以上の特徴を含んでもよい。
【０１１６】
本発明の第９の態様によれば、本発明の第１の態様の支持構造体を備える装置が提供される。
【０１１７】
本発明の第９の態様の実施形態は、本発明の第１、第２、第３、第４、第５、第６、第７又は第８の態様又はそれらの実施形態の１つ以上の特徴を含んでもよい。同様に、本発明の第１、第２、第３、第４、第５、第６、第７又は第８の態様の実施形態は、本発明の第９の態様又はその実施形態の１つ以上の特徴を含んでもよい。
【０１１８】
ここで本発明の実施形態を、図面を参照して例として説明する。
【図面の簡単な説明】
【０１１９】
【図１】本発明の実施形態による支持構造体の等角図である。
【図２ａ】図１の支持構造体の流体流路の１つの上面図である。
【図２ｂ】図１の支持構造体の流体流路の１つの側面図である。
【図３】図１の支持構造体の流体流路の１つの等角図である。
【図４】図１の支持構造体の正面図である。
【図５ａ】図１の支持構造体の第１、第２及び第３の支持層の等角図である。
【図５ｂ】図１の支持構造体の第１、第２及び第３の支持層の分解図である。
【図６ａ】図１の支持構造体の第１の流体分散層の正面図である。
【図６ｂ】図１の支持構造体の第１の流体分散層の背面図である。
【図７】図１の支持構造体の上面図である。
【図８ａ】図１の支持構造体の第２の流体分散層の正面図である。
【図８ｂ】図１の支持構造体の第２の流体分散層の側面図である。
【図８ｃ】図１の支持構造体の第２の流体分散層の等角図である。
【図８ｄ】図１の支持構造体の第２の流体分散層の背面図である。
【図９ａ】図１の支持構造体の第２の流体分散層の代替実施形態の正面図である。
【図９ｂ】図１の支持構造体の第２の流体分散層の代替実施形態の側面図である。
【図９ｃ】図１の支持構造体の第２の流体分散層の代替実施形態の等角図である。
【図９ｄ】図１の支持構造体の第２の流体分散層の代替実施形態の背面図である。
【図１０ａ】図１の支持構造体の第１、第２及び第３の支持層の代替実施形態の正面図である。
【図１０ｂ】図１の支持構造体の第１、第２及び第３の支持層の代替実施形態の側面図である。
【図１０ｃ】図１の支持構造体の第１、第２及び第３の支持層の代替実施形態の上面図である。
【図１０ｄ】図１の支持構造体の第１、第２及び第３の支持層の代替実施形態の背面セクションの等角図である。
【図１０ｅ】図１の支持構造体の第１、第２及び第３の支持層の代替実施形態の等角図である。
【図１０ｆ】図１の支持構造体の第１、第２及び第３の支持層の組み立てられた代替実施形態の等角図である。
【図１１ａ】図１の支持構造体の流体流路の分解された代替実施形態の等角図である。
【図１１ｂ】図１の支持構造体の流体流路の組み立てられた代替実施形態の等角図である。
【図１１ｃ】図１の支持構造体の流体流路の組み立てられた代替実施形態の上面図である。
【図１１ｄ】図１の支持構造体の流体流路の組み立てられた代替実施形態の等角図である。
【図１１ｅ】図１の支持構造体の流体流路の組み立てられた代替実施形態の正面図である。
【図１１ｆ】図１の支持構造体の流体流路の組み立てられた代替実施形態の側面図である。
【図１１ｇ】図１の支持構造体の流体流路の組み立てられた代替実施形態の背面図である。
【図１２ａ】図１の支持構造体の流体流れ制御装置の代替実施形態の上面図である。
【図１２ｂ】図１の支持構造体の流体流れ制御装置の代替実施形態の正面図である。
【図１２ｃ】図１の支持構造体の流体流れ制御装置の代替実施形態の側面図である。
【図１２ｄ】図１の支持構造体の流体流れ制御装置の代替実施形態の等角図である。
【図１２ｅ】図１の支持構造体の流体流れ制御装置の代替実施形態の等角図である。
【図１３ａ】図１の支持構造体の第１の支持層の代替実施形態の正面図である。
【図１３ｂ】図１の支持構造体の第２の支持層の代替実施形態の正面図である。
【発明を実施するための形態】
【０１２０】
図１〜５を参照すると、移動デバイス等のユーザを支持するための支持構造体１が示されている。
【０１２１】
図１を参照すると、支持構造体１は２つの流体流路２０を有する。流体流路２０は、流体入口２２及び流体出口５０を有する。図３に最もよく示されるように、流体流路２０は長さ軸２０ｘ、幅軸２０ｙ及び深さ軸２０ｚを有する。本明細書で図示及び説明される実施形態では、流体流路２０の実質的に全体がテーパ状である。テーパ状流路２０は、第１の端部２８及び第２の端部３０を有する。第１の端部２８は流体入口２２の近位に位置し、第２の端部３０は流体入口２２の遠位に位置する。図３に最もよく示されるように、テーパ状流路２０の第２の端部３０の幅３２は、テーパ状流路２０の第１の端部２８の幅３３よりも大きい。この構成において、各テーパ状流路２０の最大幅は、流体入口２２から最も遠くに位置する。したがって、最大幅は、各テーパ流路２０の第２の端部３０に位置する。しかしながら、各テーパ流路２０の最大幅は、流体流路２０全体の他の位置に配置できることも理解されるべきである。各流体流路２０の少なくとも一部（実質的に全てではなく）がテーパ状にされ得ることも理解されるべきである。さらに、流体流路又は各流体流路２０内に１つ以上、又は複数のテーパ部分２０があってもよいことが理解されるであろう。いくつかの実施形態では、流体流路２０の少なくとも一部は可撓性であり得る。
【０１２２】
図３に最もよく示されるように、各流体流路２０は、上面セクション２１、底面セクション２０ｂ、及び側壁２０ｃを備える。各流体流路２０は、長さ、幅及び深さを有する。各流体流路２０の長さは、第１の端部２８と第２の端部３０との間の距離である。各流体流路２０の幅は、側壁２０ｃ間の距離である。各流体流路２０の深さは、上面セクション２１と底面セクション２０ｂとの間の距離である。本明細書で図示及び説明する実施形態では、各テーパ状流路２０の最小幅は、流体入口２２に最も近い位置にある。
【０１２３】
図３に示すように、テーパ流路２０は、各流体流路２０の側壁２０ｃの発散によって形成される。すなわち、側壁２０ｃ間の最小距離は、流体入口２２の近位に位置し、側壁２０ｃ間の最大距離は、流体入口２２の遠位に位置する。この構成において、側壁２０ｃの発散は、流体入口２２の近位から流体入口２２の遠位まで生じる。図３に示すように、少なくとも部分的にテーパ状の流体流路２０の第１の端部２８の深さは、少なくとも部分的にテーパ状の流体流路２０の第２の端部３０の深さよりも大きい。
【０１２４】
各流体流路２０の側壁２０ｃは、実質的に細長い平面部材である。理論に拘束されることを望まないが、実質的に平面の側壁２０ｃは渦の形成を防止し、したがって実質的に平面の側壁２０ｃは各流体流路２０内の流体の流れの効率を高めると考えられる。
【０１２５】
図１及び２に示されるように、ここに示す実施形態では、流体出口５０は、流体流路２０の上面セクション２１の開口部２１ａから形成される。流体流路２０の上面セクション２１は、閉鎖部２１ｂも含む。しかしながら、流体出口５０は、各流体流路２０の１つ以上のアパーチャから形成され得ることを理解されたい。
【０１２６】
各流体流路２０は、流体が流体入口２２から流体出口５０に流れることができるように構成されている。各テーパ流路２０は、流体入口２２からの流体が流体流路２０全体に流れることを可能にし、その結果、流体は流体流路２０全体にわたり流体出口５０から出ることができる。流体流路２０の全体にわたる流体のこの流出は、より広い領域にわたって移動デバイスのユーザに流体を提供するために使用される。
【０１２７】
理論に拘束されることを望むものではないが、流体入口２２への流体の固定された供給について、テーパ流路２０がないと、各流体流路２０の上部領域２３ａに到達する流体の量が減少し、下部領域２３ｂを出る流体の量が増加すると考えられる。これにより、流体は低減した面積でユーザに提供される。かくしてユーザへの冷却効果は低下する。次に、流体入口２２への流体の供給を増加させて、ユーザに提供される流体の同じ面積を達成する必要がある。この結果、例えば、より大きな流体流れ制御装置３及び／又はより大きな電力システム又はバッテリが必要になる可能性がある。
【０１２８】
この実施形態では、図１及び２に示すように、各流体流路２０の上面セクション２１の実質的に全体が開いている２１ａ。しかしながら、各流体流路２０の上面セクション２１の少なくとも一部が開いていてもよいことを理解されたい。上面セクション２１の開口セクション２１ａは、流体出口５０を形成する。例えば、各流体流路２０の上面セクション２１は、主に閉鎖セクション２１ｂによって形成され得るが、閉鎖セクション２１ｂは、流体出口５０として作用する多数のアパーチャを有する。
【０１２９】
この実施形態では、図２ａに最もよく示されているように、流体出口５０は、第１の端部５０ａ及び第２の端部５０ｂを備える。流体出口５０の第１の端部５０ａは、流体入口２２の近位に位置し、幅５１ｙを有し、流体出口５０の第２の端部５０ｂは、流体入口２２の遠位に位置し、幅５０ｙを有する。流体出口５０の第２の端部５０ｂの幅５０ｙは、流体出口５０の第１の端部５０ａの幅５１ｙよりも大きい。この構成において、流体出口５０はテーパ状である。流体出口５０は、テーパ流路２０と実質的に同じ形状である。
【０１３０】
この実施形態では、流体は空気である。
【０１３１】
図３に最もよく示されるように、流体流路２０は、各流体流路２０の第１の端部２８から各流体流路２０の第２の端部３０まで実質的に長手方向に配置された細長い長手方向部材である多数のフィン６０を有する。各フィン６０は、第１の端部６０ａ及び第２の端部６０ｂを備え、各フィン６０の第１の端部６０ａは流体入口２２の近位に位置し、各フィン６０の第２の端部６０ｂは流体入口２２の遠位に位置する。フィン６０間の間隔は、第１の端部６０ａよりも第２の端部６０ｂで大きい。この構成において、フィン６０はテーパ状である。フィン６０のこの配置は、流体入口２２からの流体の流れの妨害を最小化する。
【０１３２】
本明細書で図示及び説明する実施形態では、深さ軸２０ｚを基準にして測定される各フィン６０の高さは、流体入口２２の近位から流体入口２２の遠位まで弓状の形状を有する。すなわち、流体入口２２の近位から流体入口２２の遠位まで測定される各フィンの輪郭は、弓状の形状を有する。フィン６０は、各流体流路２０がユーザの体重によって部分的又は完全に遮断されるのを防ぐ。フィン６０は、ユーザに支持を提供し、例えば、ポリウレタン又は成形エラストマーなどの弾性材料から作られる。
【０１３３】
図４及び５に最もよく示されるように、支持構造体１は、実質的に平面の部材である第１、第２及び第３の支持層７０、８０、９０を備える。支持層７０、８０、９０は、発泡体のような材料から作られている。例えば、支持層７０、８０、９０は、ユーザに支持と快適さを提供するために、メモリーフォーム（低反発）タイプの材料から作られ得る。図５に示されるように、第１及び第２の支持層７０、８０は、流体流路係合セクション７２、８２として作用する成形セクションを有する。この実施形態では、第１及び第２の支持層７０、８０に２つの流体流路係合セクション７２、８２が存在し、それらは流体流路２０と係合可能である。図１及び４に示すように、第１及び第２の支持層７０、８０は、実質的に流体流路２０を取り囲んでいる。流体流路係合セクション７２、８２は、流体流路２０の形状と、及び同じく流体出口５０の形状と実質的に一致するようにテーパ状である。
【０１３４】
第３の支持層９０は、とりわけ、流体流路２０を保護し、これに支持を提供する。例えば、使用中、支持構造体１は、通常、移動デバイスに取り付けられ、第３の支持層９０は、流体流路２０が移動デバイスに接触することから生じ得る摩耗及び亀裂を最小限に抑える。いくつかの実施形態では、第３の支持層９０は、支持構造体１の他の部分に生じる摩耗及び亀裂を、支持構造体１のそれらの部分が流体流路２０に接触することを防止することによって最小限に抑える。第３の支持層９０はまた、ユーザに提供される支持及び快適さに寄与する。以下により詳細に説明するように、代替実施形態では、第１の支持層７０は第３の支持層９０の上に折り畳まれてもよい。この構成において、第１の支持層７０の少なくとも一部も保護を提供し、流体流路２０に支持を提供する。
【０１３５】
図４、６ａ及び６ｂにおいて最もよく示されるように、支持構造体１は第１の流体分散層１００を備える。第１の流体分散層１００は、一緒に取り付けられてパウチを形成する２つの部分１００ａ、１００ｂから形成され、パウチは次に支持層７０、８０、９０の上に配置することができる。第１の流体分散層１００は次に、第１、第２、及び第３の支持層７０、８０、９０を囲むために、留め機構１１０によって所定の位置に固定される。留め機構１１０は、複数のスナップ留め具であるが、他の留め機構１１０を使用することもできる。例えば、留め機構１１０は、１つ以上、又は複数のステッチであり得る。第１の流体分散層１００は、織物材料から作られている。第１の流体分散層１００の一部は多孔質１０２であり、流体分散層の残りの部分は非多孔質１０４である。非多孔質部分１０４は、そこを通る流体の流れを実質的に遮断するように構成される。第１の流体分散層１００は、流体出口５０から出る流体が多孔質部分１０２を通って流れることを可能にするように構成される。
【０１３６】
図４に示すように、この実施形態では流体出口５０よりも大きな表面積を有する多孔質部分１０２は、流体出口５０からの流体を分散させる。流体の分散により、流体はより広い面積にわたってユーザに提供され、したがってユーザに流体を提供する冷却効果は、より広い面積にわたって分散される。これは、ユーザを冷却するとき、及びユーザから水分を除去するときに有利である。さらに、この方法で流体を分散させることにより、ユーザは流体の流れを意識することが少なくなる。すなわち、流体分散層１００が存在しない場合、流体の流れは流体出口５０が存在するセクションのみに集中し得るため、ユーザは流体流路２０からユーザへの流体の流れをより意識することになる。したがって、第１の流体分散層１００を設けることにより、ユーザの快適さが改善される。
【０１３７】
第１の流体分散層１００の非多孔質部分１０４は、流体出口５０からの流体の流れを第１の流体分散層１００を通してより良く導くために使用することができる。図４に示すように、非多孔質部分１０４は流体出口５０のかなりの部分をブロックし、第１の流体分散層１００のより低い領域１１１に位置する。この構成において、非多孔質部分１０４及び多孔質部分１０２のレイアウトを変更することにより、流体の流れを制御することができる。例えば、支持構造体１が移動デバイスの背もたれとして使用される場合、非多孔質部分１０４のサイズは、より多くの流体をユーザの背中に又はユーザの背中の特定の領域に向けるために選択することができる。他の用途では、非多孔質部分１０４は、ユーザの希望通り、又は設計通りに異なる流体流れパターンを提供するように選択することができる。同様に、流体出口５０は、ユーザのニーズに応じて、カスタマイズされた流体の流れを提供するために、開いた部分と閉じた部分とから構成することができる。
【０１３８】
この実施形態では、及び図４に示すように、流体出口５０の一部は、第１の流体分散層１００の多孔質部分１０２と重複する。しかしながら、流体出口５０の実質的に全体が第１の流体分散層１００の多孔質部分１０２と重なるように構成することもできることを理解されたい。
【０１３９】
この実施形態では、第１の流体分散層１００の多孔質部分１０２の幅は、流体出口５０の幅よりも大きい。第１の流体分散層１００の多孔質部分１０２の長さは、流体出口５０の長さよりも大きい。
【０１４０】
図７に最もよく示されるように、支持構造体１は、可撓性領域９２により折り畳み可能である。支持構造体１を折り畳むことは、例えば、道路、空路、鉄道等で旅行するとき、本発明を輸送する能力を支援する。支持構造体１は折り畳み可能であるため、人は、例えば、より便利な方法で支持構造体１を小脇に抱えて運ぶことができる。図５に示されるように、第３の支持層９０は、２つの部分９０ａ、９０ｂに分割される。同様に、第２の支持層８０も２つの部分８０ａ、８０ｂに分割される。図７に示すように、第３の支持層９０の２つの部分９０ａ、９０ｂの間には隙間９２ａがあり、第２の支持層８０の２つの部分８０ａ、８０ｂの間には隙間９２ｂがある。可撓性領域９２は、第１の支持層７０と組み合わせた隙間９２ａ及び隙間９２ｂから形成され、隙間９２ａ及び９２ｂは、隙間９２ａ及び９２ｂによって形成された経路に沿って支持構造体１を折り畳むことを可能にする。しかしながら、可撓性領域９２は、支持層７０、８０、９０の１つ以上内のノッチであり得ることが理解されるべきである。可撓性領域９２により、支持構造体１を折り畳むことが可能になり、これは少なくとも部分的に、支持構造体１の中央部分が流体流れ構成要素を含まないためである。この実施形態において、第３の支持層９０の隙間９２ａの幅は、第２の支持層８０の隙間９２ｂの幅よりも大きく、これにより支持構造体１の折り畳み能力が向上する。
【０１４１】
図５を参照すると、この実施形態では、第１の支持層７０は、約３００ｍｍ〜約４２０ｍｍの長さ、約３００ｍｍ〜約４２０ｍｍの幅、及び約５ｍｍ〜約１５ｍｍの厚さを含む。第２の支持層８０は、約３００ｍｍ〜約４２０ｍｍの長さ、約３００ｍｍ〜約４２０ｍｍの幅、及び約５ｍｍ〜約１５ｍｍの厚さを含む。第３の支持層９０は、約３００ｍｍ〜４２０ｍｍの長さ、約３００ｍｍ〜４２０ｍｍの幅、及び約３ｍｍ〜約７ｍｍの厚さを含む。しかしながら、第３の支持層９０は約３２０ｍｍ〜３４０ｍｍの長さを有することができることを理解されたい。しかしながら、第１の支持層７０は約３００ｍｍ〜約７７０ｍｍの長さを含むことができ、第２の支持層８０は約３００ｍｍ〜約７７０ｍｍの長さを含むことができ、第３の支持層９０は、約３００ｍｍ〜約７７０ｍｍの長さを含むことができることを理解されたい。
【０１４２】
図８に最もよく示されるように、支持構造体１は、第２の流体分散層１１２をさらに備える。第２の流体分散層１１２は、支持層７０、８０、９０及び流体流路２０を囲むように構成される。第２の流体分散層１１２は、フラップ上に位置するフックアンドループ留め具によって形成される留め機構１１４によって移動デバイスに取り付けることができる。したがって、第２の流体分散層１１２は、支持構造体１を移動デバイスに取り付ける。第２の流体分散層１１２は、流体流れ制御装置３を第２の流体分散層１１２に取り付けるために使用され得る流体流れ制御装置アタッチメント機構１１４’を備える。しかしながら、いくつかの実施形態では、支持構造体１は第２の流体分散層１１２を備える必要はないことを理解されたい。さらに、いくつかの実施形態では、第２の流体分散層１１２は留め機構１１４を備える必要はない。
【０１４３】
図８に示されるように、第２の流体分散層１１２は、多孔質部分１１６及び非多孔質部分１１８を含む。多孔質部分１１６は、流体が第１の流体分散層１００から第２の流体分散層１１２を通してユーザへ流れることを可能にするように構成される。非多孔質部１１８は、流体の流れを遮断するように構成される。本明細書で説明する実施形態では、多孔質部分１１６は、２つの弓形又は正弦波形状の辺を備えた実質的に長方形の形状である。第２の流体分散層１１２の多孔質部分は、多くの異なる形状のものであり得、多孔質セクション１１６及び非多孔質セクション１１８の異なるレイアウトを含み得ることを理解されたい。
【０１４４】
図４及び６を参照すると、第１の流体分散層１００の多孔質部分１０２は、水分をユーザから逃がすために、ウィッキング効果を提供する。図８を参照すると、第２の流体分散層１１２の多孔質部分１１６は、水分をユーザから逃がすために、ウィッキング効果を同じく提供する。この実施形態では、第２の流体分散層１１２は、ユーザに流体を提供する。いくつかの実施形態では、ウィッキング効果を提供するのは第２の流体分散層１１２であってもよいことを理解されたい。
【０１４５】
図６及び８を参照すると、流体分散層１００、１１２は、支持構造体１の維持及び洗浄の容易さを改善するために、取り外し、洗浄し、及び再び取り付けることができる。
【０１４６】
図１に最もよく示されるように、支持構造体は、この実施形態では送風機４である流体流れ制御装置３に取り付けられる。しかしながら、支持構造体は流体流れ制御装置３を備えることができることを理解されたい。いくつかの実施形態では、流体流れ制御装置３は、ポンプ等であり得る。送風機４は回転送風機であり、ハウジング７内に収容されている。ハウジング７は、周囲空気が送風機４に流れ込むことができる送風機入口５と、送風機４からの空気が流れることができる送風機出口６とを有する。ハウジング７の送風機出口６は、スナップ嵌めコネクタであるアタッチメント機構８により、支持構造体１の流体入口２２と係合可能である。流体流れ制御装置３は着脱式であり、これにより支持構造体１の輸送能力が改善される。ユーザは、流体流れ制御装置３を支持構造体１から外し、支持構造体１を折り畳んで、支持構造体１の輸送を支援することができる。流体流れ制御装置３は、流体流れ制御装置アタッチメント機構１１４’によって第２の流体分散層１１２に取り付けることができることを理解されたい。
【０１４７】
電力は、充電式電池（図示せず）、例えば、リチウムイオン電池を介して、流体流れ制御装置３に供給される。電池はハウジング７内に収容される。この実施形態では、電池は、約２．４ボルト〜４．２ボルトの間の電圧を提供するように構成される。電池は、３アンペアの最大電流を提供するように構成される。電池は、使用中、約３時間〜２０時間の間、流体流れ制御装置に電力を提供するように構成される。電池は約７０００ｍＡｈ〜９０００ｍＡｈの容量を有する。
【０１４８】
図１に示すように、制御モジュール１２０は、流体流れ制御装置３を制御するように構成される。制御モジュール１２０は、ユーザに流れる流体の流量を制御することができる。したがって、制御モジュール１２０は、流体流れ制御装置３の動作を制御することにより、ユーザの体温を制御するように動作可能である。制御モジュール１２０は、流体流れ制御装置３に接続されたリモートコントロール内に収容される。しかしながら、制御モジュール１２０は、無線通信により流体流れ制御装置３を制御できることを理解されたい。
【０１４９】
本明細書で図示及び説明される支持構造体１は、対流冷却により移動デバイスのユーザを冷却することができる。支持構造体１はまた、ユーザに流体を提供することにより、及び／又は流体分散層１００、１１２のウィッキング機構を通して、ユーザからの水分の蒸発の増加に寄与する。
【０１５０】
図９は、図８の第２の流体分散層１１２の代替実施形態を示す。図９に示される実施形態では、第２の流体分散層１１２は、図８に示されるものと同じであるが、非多孔質セクション１１８と多孔質セクション１１６のレイアウトが異なる。図９に示す実施形態では、非多孔質セクション１１８は、第２の流体分散層１１２の下部領域にのみ配置される。この代替実施形態では、第２の流体分散層１１２の非多孔質セクション１１８は、長方形の断面を有する。
【０１５１】
図１０は、第１、第２及び第３の支持層７０、８０、９０の代替実施形態を示す。第２の支持層は、頂面８３を有する。第３の支持層９０は、頂面９３、前面９１ａ及び背面９１ｂを有する。第１の支持層７０は、上部セクション７０ａを有する。
【０１５２】
この実施形態では、及び図１０ｂに最もよく示されているように、第１、第２及び第３の支持層７０、８０、９０は長さ軸７０ｘを有する。第１、第２及び第３の支持層７０、８０、９０の長さは、長さ軸７０ｘの方向にある。この実施形態では、第１の支持層７０の長さは、第２の支持層８０の長さよりも大きい。同じく第１の支持層７０の長さは、第３の支持層９０の長さよりも大きい。第２の支持層８０の長さは、第３の支持層９０の長さよりも大きい。しかしながら、第２及び第３の支持層８０、９０の長さは実質的に等しくてもよいことを理解されたい。第１の支持層７０の長さは第２及び第３の支持層８０、９０の長さより大きいので、第１の支持層７０の上部領域７０ａは、以下でより詳細に説明するように、第２及び第３の支持層８０、９０の上に折り畳むことができる。
【０１５３】
次に、図１０に示される第１、第２、及び第３の支持層７０、８０、９０の代替実施形態のアセンブリについて説明する。第１、第２、及び第３の支持層７０、８０、９０は、第１の支持層７０が第２の支持層８０に隣接し、第２の支持層８０が第３の支持層９０に隣接するようにまとめられる。次に、第１の支持層７０の上部セクション７０ａは、第２の支持層８０の頂面８３の周り及び第３の支持層９０の頂面９３及び背面９１ｂの周りに折り畳まれる。この構成において、及び図１０ｆに示すように、第１の支持層７０の上部セクション７０ａは、第２の支持層８０を封入する。さらに、第１の支持層７０の上縁７０ｂは、第３の支持層９０の背面９１ｂに当接する。
【０１５４】
この実施形態では、第２の支持層８０は可撓性セクション８１を含む。可撓性セクション８１は、第２の支持層８０の一部が折り畳まれることを可能にする。いくつかの構成では、第２の支持層８０は可撓性セクション８１を有する必要がないことを理解されたい。例えば、第２及び第３の支持層８０、９０の長さが実質的に等しい場合、第１の支持構造体７０の上部領域７０ａは、第２の支持層８０に可撓性セクション８１を必要とすることなく、第２及び第３の支持層８０、９０上に折り畳むことができる。この実施形態では、可撓性セクション８１は波形セクションである。しかしながら、他のタイプの可撓性セクションを使用できることを理解されたい。
【０１５５】
図１１は、支持構造体１の流体流路２０の代替実施形態を示す。図１１に示される流体流路２０は、図１〜４に示されるものと実質的に同じであるが、次の違いがある。
【０１５６】
図１１ａ〜１１ｇに示す実施形態において、流体流路２０は、突起２０ｅの形態の支持層係合部分２０ｄを備える。この実施形態では、突起はタブ２０ｅである。流体流路２０は、４つの突起２０ｅを備えている。しかしながら、支持層係合部分２０ｄは、他の種類の支持層係合部分２０ｄを備え得ることを理解されたい。さらに、支持層係合部分２０ｄは、１つ以上の突起、平面部材及び／又はタブ２０ｅを備え得る。
【０１５７】
この実施形態では、支持構造体１は、支持層係合部分２０ｄが第１の支持層７０及び第２の支持層８０と係合可能であるように配置される。しかしながら、他の実施形態では、支持層係合部分２０ｄは、第１の支持層７０、第２の支持層８０、及び第３の支持層９０の１つ以上と係合することができる。
【０１５８】
各支持層係合部分２０ｄは、第１の支持層７０及び第２の支持層８０と接触するか又はそれらに面する流体流路２０の側壁２０ｃの外面２０ｇに位置する。この実施形態では、支持層係合部分２０ｄは、流体流路２０の側壁２０ｃの外面２０ｇに配置された１つ以上の突起２０ｅを備える。
【０１５９】
この実施形態では、突起２０ｅのそれぞれは、平面部材又はタブである。突起２０ｅのそれぞれは、流体流路２０の側壁２０ｃの外面２０ｇから離れる方に角度が付けられる。突起２０ｅのそれぞれは、流体流路２０の側壁２０ｃの外面２０ｇから離れる方に最大約９０°まで角度を付けることができる。この実施形態では、突起２０ｅは、流体流路２０の入口２２に向かって概ね傾斜している。
【０１６０】
いくつかの実施形態では、突起２０ｅのそれぞれは、流体流路２０の側壁２０ｃの外側表面２０ｇから最大９０°まで角度を付けられ得ることが理解されよう。図１１に示される流体流路２０の場合、突起２０ｅは、流体流路２０の入口２２に向かって概ね傾斜する。いくつかの実施形態では、突起２０ｅのいくつかは、流体流路２０の入口２２に向かって概ね傾斜することができ、突起２０ｅのいくつかは、流体流路２０の入口２２から概ね離れる方に傾斜することができる。他の実施形態では、突起２０ｅは、流体流路２０の入口２２から概ね離れる方に傾斜することができる。
【０１６１】
突起２０ｅが第１の支持層７０及び第２の支持層８０と係合すると、突起２０ｅは第１の支持層７０及び第２の支持層８０の動きを緩和する。エンドユーザによる支持構造体１の使用中、流体流路２０に対する第１、第２及び第３の支持層７０、８０及び９０の動きを緩和することが望ましい。これは主に、流体流路２０と支持層７０、８０、及び９０との間の隙間が支持構造体１の使用中に形成されることが望ましくないためである。これは、エンドユーザがこの結果として不快感を覚える可能性が高いためである。この実施形態では、支持構造係合部分２０ｄを使用して、流体流路２０に対する支持層７０、８０、及び９０の動きを緩和することにより、この問題が生じるリスクを低減する。
【０１６２】
図１３ａ及び１３ｂを参照すると、及び以下でより詳細に説明するように、この実施形態では、第１の支持層７０、第２の支持層８０、及び第３の支持層９０は、第１の支持層７０及び第２の支持層８０のそれぞれにおいて、８つのスリット７４及び８４によって支持層係合部分２０ｄの実質的に全てを収容するように構成される。
【０１６３】
図１１ｄ及び図１１ｇに最もよく示されるように、流体流路２０は、流体流路２０の側壁２０ｃに接続された剛性部材２０ｆを備える。剛性部材２０ｆは、実質的に流体流路２０の底面セクション２０ｂに配置され、流体流路２０と一体的に形成される。剛性部材２０ｆは、この実施形態では実質的に菱形のハッチ構成であるハッチ構成で配置された一連のストラットである。しかしながら、剛性部材２０ｆは、１つ以上のロッド、バー等であってもよいことを理解されたい。
【０１６４】
剛性部材２０ｆは、流体流路２０の変形を緩和するように構成される。剛性部材２０ｆは、流体流路２０の剛性を高めるように構成される。剛性部材２０ｆは、流体流路２０に支持を提供するように構成される。
【０１６５】
図１２は、流体流れ制御装置３の代替実施形態を示し、これは図１及び４に示される流体流れ制御装置３と実質的に同じであるが、次の違いがある。この実施形態では、流体流れ制御装置３は、流体流れ制御装置３の頂部領域７’に位置する電気コネクタ１０を備える。電気コネクタは、流体流れ制御装置３のハウジング７の送風機出口６に実質的に隣接して流体流れ制御装置３の上面７’’に位置する。
【０１６６】
図１２ｄに最もよく示されているように、流体流れ制御装置３は、有線接続１２１によって制御モジュール１２０に接続される。流体流れ制御装置３の充電式電池は、制御モジュール１２０のユニバーサルシリアルバス（ＵＳＢ）ポート１２２によって充電することができる。
【０１６７】
流体流れ制御装置３は、フレーム部材９を備える。フレーム部材９は、グルー（接着剤の一例）によって流体流れ制御装置３のハウジング７に固定される。フレーム部材９は、平面状の部材である。しかしながら、フレーム部材９は、バー、ロッド、ポール、ケーブル等であってもよいことを理解されたい。いくつかの実施形態では、フレーム部材９は、流体流れ制御装置３のハウジング７と一体に形成されてもよい。
【０１６８】
第２の流体分散層１１２は、第２の流体分散層１１２の留め機構１１４’を介してフレーム部材９に取り付け可能である。
【０１６９】
図１１ａ〜１２ｅに示す実施形態において、流体流路２０の流体入口２２は、アタッチメント機構１２によって流体流れ制御装置３のハウジング７の送風機出口６に接続することができる。アタッチメント機構１２は、プラグ１３とソケット１４とを備える着脱可能なアタッチメント機構である。
【０１７０】
プラグ１３は、ソケット係合部分を備えている。各流体流路２０に関して、ソケット係合部分のうちの２つは、第１の位置にあるように付勢された弾性の可撓性部材１３’である。この実施形態では、ソケット係合部分１３’のうちの２つが、実質的に丸みを帯びた直方体を含む。
【０１７１】
各ソケット１４は、この実施形態では各ソケット１４の開口１４’である２つのプラグ係合部分を備える。
【０１７２】
プラグ１３及びソケット１４は、ロック解除状態とロック状態との間で移動可能に構成されている。ロック解除状態からロック状態に移動するとき、２つのソケット係合部分１３’は、第１位置から第２位置に移動し、次に第２位置から第１位置に移動する。エンドユーザは、ソケット係合部分１３’を押すことにより、流体流れ制御装置３のハウジング７から流体流路２０をロック解除することができる。
【０１７３】
図１３は、第１の支持層７０及び第２の支持層８０の代替実施形態を示し、これは、図１０に示す第１の支持層７０及び第２の支持層８０と実質的に同じであるが、以下の違いがある。
【０１７４】
図１３に示される第１の支持層７０及び第２の支持層８０の代替実施形態は、図１１に示される流体流路２０の代替実施形態と共に使用することができ、またそれは図１〜４に示される流体流路２０とともに使用することもできる。
【０１７５】
図１３ａ及び１３ｂに示す実施形態において、第１の支持層７０及び第２の支持層８０は、８つのスリット７４及び８４によって、流体流路２０の支持層係合部分２０ｄの少なくとも一部を収容するように構成される。
【０１７６】
支持構造体１を組み立てるとき、流体流路２０を流体流路係合セクション部分７２及び８２に配置し、各流体流路２０の突起２０ｅを第１の支持層７０及び第２の支持層８０のスリット７４及び８４に挿入することができる。
【０１７７】
いくつかの実施形態では、スリットは、スロット、切欠き部分等であってもよいことを理解されたい。さらに、いくつかの実施形態では、第１の支持層７０、第２の支持層８０、及び第３の支持層９０の少なくとも１つは、流体流路２０の支持層係合部分２０ｄの少なくとも一部を収容するように構成することができる。さらに、この実施形態では、第１の支持層７０及び第２の支持層８０はそれぞれ８つのスリット７４及び８４を備えるが、第１の支持層７０、第２の支持層８０及び第３の支持層９０の少なくとも１つが、１つ以上のスロット、スリット、切欠き部分等によって流体流路２０の支持層係合部分２０ｄの少なくとも一部を収容するように構成され得ることを理解されたい。
【０１７８】
いくつかの実施形態では、支持構造体１の長さのために、支持構造体１の少なくとも一部は、可動デバイス等の周りにフィットするように折り畳み可能であり得る。支持構造体１の少なくとも一部は、移動デバイス等の背もたれの周りに折り畳み可能であり得る。これにより支持構造体１をさまざまなタイプ及びサイズの移動デバイスにフィットすることが可能になる。さらに、このように支持構造体１を折り畳むことにより、支持構造体１をより信頼性の高い方法で移動デバイス１に固定することが可能になる。
【０１７９】
本発明の範囲内で、前述の実施形態に変更を加えることができる。
【図１】
2020512176.tif 000003
【図２ａ】
2020512176.tif 000004
【図２ｂ】
2020512176.tif 000005
【図３】
2020512176.tif 000006
【図４】
2020512176.tif 000007
【図５ａ】
2020512176.tif 000008
【図５ｂ】
2020512176.tif 000009
【図６ａ】
2020512176.tif 000010
【図６ｂ】
2020512176.tif 000011
【図７】
2020512176.tif 000012
【図８ａ】
2020512176.tif 000013
【図８ｂ】
2020512176.tif 000014
【図８ｃ】
2020512176.tif 000015
【図８ｄ】
2020512176.tif 000016
【図９ａ】
2020512176.tif 000017
【図９ｂ】
2020512176.tif 000018
【図９ｃ】
2020512176.tif 000019
【図９ｄ】
2020512176.tif 000020
【図１０ａ】
2020512176.tif 000021
【図１０ｂ】
2020512176.tif 000022
【図１０ｃ】
2020512176.tif 000023
【図１０ｄ】
2020512176.tif 000024
【図１０ｅ】
2020512176.tif 000025
【図１０ｆ】
2020512176.tif 000026
【図１１ａ】
2020512176.tif 000027
【図１１ｂ】
2020512176.tif 000028
【図１１ｃ】
2020512176.tif 000029
【図１１ｄ】
2020512176.tif 000030
【図１１ｅ】
2020512176.tif 000031
【図１１ｆ】
2020512176.tif 000032
【図１１ｇ】
2020512176.tif 000033
【図１２ａ】
2020512176.tif 000034
【図１２ｂ】
2020512176.tif 000035
【図１２ｃ】
2020512176.tif 000036
【図１２ｄ】
2020512176.tif 000037
【図１２ｅ】
2020512176.tif 000038
【図１３ａ】
2020512176.tif 000039
【図１３ｂ】
2020512176.tif 000040
【国際調査報告】
2020512176.tif 000041
2020512176.tif 000042
2020512176.tif 000043